(57)【特許請求の範囲】
【請求項１】
使用者の顔面前方側に装着するフェイスシールドであって、
前記使用者の顔面の前方を覆うシールド部と、
前記使用者の頭部に着脱可能な固定部と、
前記固定部の前記使用者の頭部のいずれかの箇所にて前記シールド部を前記固定部に対して回転自在に支持する回動部と、
前記シールド部の前記回動部から前方側を前方部とし、前記シールド部の前記回動部から後方側を後方部として、
前記前方部の重心にかかる前記前方部の前方重量による前記回動部を支点とした前方回転モーメントと、
前記後方部の重心にかかる前記後方部の後方重量による前記回動部を支点とした後方回転モーメントとが釣り合うように形成されたフェイスシールド。
【請求項２】
前記シールド部の前記後方部に設置された重り部を備え、
前記前方部の重心にかかる前記前方部の前方重量による前記回動部を支点とした前方回転モーメントと、前記重り部を含む前記後方部の重心にかかる前記後方部の後方重量による前記回動部を支点とした後方回転モーメントとが釣り合うように形成された請求項１に記載のフェイスシールド。
【請求項３】
前記重り部は、前記シールド部から着脱可能に形成される請求項２に記載のフェイスシールド。
【請求項４】
前記回動部は、前記固定部の前記使用者の頭部の左側頭位置および右側頭位置にそれぞれ形成するか、または、前記使用者の頭部の前方位置に形成するかのいずれかである請求項１から請求項３のいずれか１項に記載のフェイスシールド。
【請求項５】
前記シールド部および前記固定部は、前記シールド部が前記回動部を中心に下方側に回転移動しないように支持する支持部を備えた請求項１から請求項４のいずれか１項に記載のフェイスシールド。
【請求項６】
前記シールド部および前記固定部は、前記回動部を中心に前記シールド部を上方に回動移動させた箇所にて、前記シールド部と前記固定部とを係止する係止部を備えた請求項１から請求項５のいずれか１項に記載のフェイスシールド。
【請求項７】
前記シールド部は、前記使用者の眼と対向する位置に開口部を有する請求項１から請求項６のいずれか１項に記載のフェイスシールド。
【請求項８】
前記固定部は、眼鏡の上に重ねて掛けることができるオーバーグラス形状にて形成される請求項７に記載のフェイスシールド。
【請求項９】
前記シールド部は、前記回動部から着脱可能に形成される穴部を備える請求項１から請求項８のいずれか１項に記載のフェイスシールド。
【請求項１０】
前記シールド部の前記穴部は、複数箇所に形成され、前記回動部はいずれかの前記穴部にて着脱される請求項９に記載のフェイスシールド。
【発明の詳細な説明】
【技術分野】
【０００１】
本願は、フェイスシールドに関するものである。
【背景技術】
【０００２】
従来のフェイスシールドは、シールド部が固定ベスト部に回動可能に設置されている（例えば、特許文献１参照）。
【先行技術文献】
【特許文献】
【０００３】
【特許文献１】実用新案登録第３２２７９０８号公報
【発明の概要】
【発明が解決しようとする課題】
【０００４】
従来のフェイスシールドは、シールド部を回動させるためには、使用者がシールド部を手で持ち上げる必要があった。したがって、使用者が、飲食など下方を向く場合、使用者の口元からシールド部を退避させるために、シールド部を手で持ち上げる必要があり煩雑であった。さらに、シールド部という汚染された箇所を触る必要があり、飲食などをする場合、不衛生であるという問題点があった。
【０００５】
本願は、上記のような課題を解決するための技術を開示するものであり、使用者が頭部を下方に傾けた際に、シールド部に触れることなく、シールド部を口元から遠ざけることができるフェイスシールドを提供することを目的とする。
【課題を解決するための手段】
【０００６】
本願に開示されるフェイスシールドは、
使用者の顔面前方側に装着するフェイスシールドであって、
前記使用者の顔面の前方を覆うシールド部と、
前記使用者の頭部に着脱可能な固定部と、
前記固定部の前記使用者の頭部のいずれかの箇所にて前記シールド部を前記固定部に対して回転自在に支持する回動部と、
前記シールド部の前記回動部から前方側を前方部とし、前記シールド部の前記回動部から後方側を後方部として、
前記前方部の重心にかかる前記前方部の前方重量による前記回動部を支点とした前方回転モーメントと、
前記後方部の重心にかかる前記後方部の後方重量による前記回動部を支点とした後方回転モーメントとが釣り合うように形成されたものである。
【発明の効果】
【０００７】
本願に開示されるフェイスシールドによれば、
使用者が下方を向いた際に、シールド部に触れることなく、シールド部を口元から遠ざけることができる。
【図面の簡単な説明】
【０００８】
【図１】実施の形態１によるフェイスシールドの構成を示す図である。
【図２】図１に示したフェイスシールドの構成を示す図である。
【図３】図１に示したフェイスシールドのシールド部の構成を示す展開図である。
【図４】図１に示したフェイスシールドの使用状態を示す側面図である。
【図５】図１に示したフェイスシールドの使用状態を示す図である。
【図６】図１に示したフェイスシールドの使用状態を示す図である。
【図７】実施の形態１による他のフェイスシールドの構成を示す側面図である。
【図８】図７に示したフェイスシールドの構成を示す図である。
【図９】図７に示したフェイスシールドのシールド部の構成を示す展開図である。
【図１０】実施の形態２によるフェイスシールドの構成を示す側面図である。
【図１１】図１０に示したフェイスシールドの構成を示す図である。
【図１２】図１０示したフェイスシールドのシールド部の構成を示す展開図である。
【図１３】実施の形態１による他のフェイスシールドのシールド部の構成を示す展開図である。
【図１４】実施の形態３によるフェイスシールドの構成を示す側面図である。
【図１５】図１４に示したフェイスシールドの構成を示す図である。
【発明を実施するための形態】
【０００９】
実施の形態１．
図１は、実施の形態１によるフェイスシールドの構成を示す図であり、図１Ａは、フェイスシールドの構成を示す側面図、図１Ｂは、図１Ａに示したＪ−Ｊ線断面の構成を示す部分拡大断面図である。尚、図１Ａはフェイスシールドの左側面のみを示しているが、右側面も対称に形成されている。図２は、同じく図１に示したフェイスシールドの構成を示す図であり、図２Ａは、フェイスシールドの構成を示す正面図、図２Ｂは、フェイスシールドの構成を示す上面図である。尚、図２は後述する重り部を省略して示している。
【００１０】
図３は、図１に示したフェイスシールドのシールド部の構成を示す展開図である。図４、図５および図６は、図１に示したフェイスシールドの使用状態を示す側面図である。図４Ａは、フェイスシールドを着用した使用者が正面を向いている状態を示す側面図、図４Ｂは、フェイスシールドを着用した使用者が下方を向いている状態を示す側面図である。図５Ａは、フェイスシールドを着用した使用者が上方を向いている状態を示す側面図、図５Ｂは、図５Ａに示したＫ−Ｋ線断面の構成を示す部分拡大断面図である。図６Ａは、フェイスシールドを着用した使用者が正面を向いている状態を示す側面図、図６Ｂは、図６Ａに示したＬ−Ｌ線断面の構成を示す部分拡大断面図である。
【００１１】
図７は、実施の形態１による他のフェイスシールドの構成を示す側面図である。尚、図７はフェイスシールドの左側面を示しているが、右側面も対称に形成されている。図８は、図７に示したフェイスシールドの構成を示す図であり、図８Ａは、フェイスシールドの構成を示す正面図、図８Ｂは、フェイスシールドの構成を示す上面図である。尚、図８は後述する重り部を省略して示している。図９は、図７に示したフェイスシールドのシールド部の構成を示す展開図である。図１３は、実施の形態１による他のフェイスシールドのシールド部の構成を示す展開図である。
【００１２】
図１において、フェイスシールド１は、シールド部２、固定部３、回動部４、重り部５、支持部６、係止部７を備える。フェイスシールド１は、使用者Ｕの顔面Ｆの前方側をシールド部２で覆うために装着するものである。以下、フェイスシールド１を使用する使用者Ｕ、使用者Ｕの顔面Ｆ、使用者Ｕの頭部Ｈ、使用者Ｕの眼Ｉ、使用者Ｕの口元Ｍとして説明する（図４参照）。シールド部２は、使用者Ｕの顔面Ｆの前方を覆う。但し、使用者Ｕの顔面Ｆに密着しているのではなく、使用者Ｕの顔面Ｆからある程度離れて配置される。
【００１３】
固定部３は、使用者Ｕの頭部Ｈに着脱可能に構成される。回動部４は、固定部３の使用者Ｕの頭部Ｈの左側頭位置Ｈ１および右側頭位置Ｈ２にてシールド部２を固定部３に対して回転自在に支持する。よって、回動部４はシールド部２の回動の支点となる。回動部４を基準とした鉛直の方向を鉛直方向Ｇとする。シールド部２の左側頭位置Ｈ１の鉛直方向Ｇから右側頭位置Ｈ２の鉛直方向Ｇまでを前方部２００とし、シールド部２の左側頭位置Ｈ１の鉛直方向Ｇから後方側および右側頭位置Ｈ２の鉛直方向Ｇから後方側を後方部２０１とする。
【００１４】
重り部５は、前方部２００の前方重心Ｃ１にかかる前方部２００の前方重量Ｆ１による回動部４を支点とした前方回転モーメントＭ１と、後方部２０１の後方重心Ｃ２にかかる後方部２０１の後方重量Ｆ２による回動部４を支点とした後方回転モーメントＭ２とが釣り合うようにシールド部２の後方部２０１の左右両方に設置される。当然のことながら、後方重量Ｆ２には、重り部５の重量も含まれる。尚、重り部５と、前方部２００の前方重心Ｃ１と、前方部２００の前方重量Ｆ１による前方回転モーメントＭ１と、後方部２０１の後方重心Ｃ２と、後方部２０１の後方重量Ｆ２による後方回転モーメントＭ２との関係は以下の実施の形態でも同様であるため、その説明は適宜省略する。
【００１５】
尚、重り部５を備えていなくとも、例えば、前方部２００の前方重量Ｆ１および後方部２０１の後方重量Ｆ２自体を適宜設定することにより、前方部２００の前方重心Ｃ１にかかる前方部２００の前方重量Ｆ１による回動部４を支点とした前方回転モーメントＭ１と、後方部２０１の後方重心Ｃ２にかかる後方部２０１の後方重量Ｆ２による回動部４を支点とした後方回転モーメントＭ２とが釣り合うように構成してもよい。
【００１６】
シールド部２は、使用者Ｕの眼Ｉと対向する位置に開口部８を備える。シールド部２に開口部８を備えるので、使用者Ｕの視界がクリアとなり、かつ、シールド部２を、使用者Ｕの息、または、食べ物などの湯気などによる曇ることを防止できる。シールド部２は、回動部４から着脱可能に形成される。シールド部２は着脱可能に形成されているため、汚れた場合、古くなった場合など、新しいものに容易に取り替えることが可能である。尚、シールド部２は回動部４に着脱不可能に形成される場合も可能であり、その場合、着脱のための構成が不要となり安価に製造することが可能となる。
【００１７】
シールド部２は、例えば、ポリプロピレン、または、ポリ塩化ビニル、または、ポリエチレンテレフタレートにて形成される。シールド部２は、使用者Ｕが会話をする場合などをふまえて、透明の部材が好ましく、複雑な形状に切断しやすい厚みおよび材質であり、ある程度の強度、すなわち、使用者Ｕの顔面Ｆの前方において、湾曲した形状を確保できる程度の強度を有していればよい。
【００１８】
シールド部２を展開すると、図３に示すような大きさおよび形状となる。そして、Ｗ１は、１０ｃｍ、Ｗ２は１０．５ｃｍ、Ｗ３は、１１ｃｍ、Ｗ４は、２２ｃｍ、Ｗ５は、７．５ｃｍ、Ｗ６は、１．７ｃｍ、Ｗ７は、３９ｃｍ、Ｗ８は、２０．５ｃｍ、Ｗ９は、４．５ｃｍ、Ｗ１０は、１０．３ｃｍにて形成される。そして、図における一点鎖線の部分を折り曲げて、図１および図２Ａに示すようなシールド部２の形状とし、後述するシールド部２の第１穴部２０３を固定部３の回動部４に設置する。シールド部２の開口部８の下端側の折曲げ箇所は、使用者Ｕの顔面Ｆ側に折り曲げられる。よって、当該箇所により、使用者Ｕの口元Ｍからの飛沫が開口部８から外部に露出することが防止でき、衛生的である。
【００１９】
尚、当該図３のフェイスシールド１の具体的な大きさおよび形状は、シールド部２を具体的に理解可能とするために示したものであり、当該大きさおよび形状は、一般的な使用者Ｕを基準として作成した１例であって、他の大きさおよび形状であっても同様に形成することは可能である。また、シールド部２の具体的な形状については、以下の実施の形態においても同様であるためその説明は適宜省略する。
【００２０】
固定部３は、図２Ｂに示すように、頭部Ｈの前方部分３０１は、例えば、ポリカーボネート、または、ポリエチレンテレフタレートにて形成される。そして、前方部分３０１の頭部Ｈ側であって、頭部Ｈと接する箇所にはスポンジ部３０３が形成される。また、前方部分３０１以外の後方部分はゴム帯３０２にて形成される。ここでは、固定部３は環状にて形成され、環状の一部がゴム帯３０２にて形成されているため、使用者Ｕの頭部Ｈに着脱しやすく形成されている。尚、ゴム帯３０２以外であってもよく、例えば、帽子などに使用されているスナップバック、面ファスナなど環状の大きさを可変できるものであれば使用可能である。
【００２１】
回動部４は、図示は簡略化して示すものの、ねじ止め式、リベット式、段付けビスなどにて形成される。例えば、回動部４が段付けビスにて形成されている場合、シールド部２の当該対応箇所に周囲に切り込みを有する第１穴部２０３（図３参照）にてより装着することが可能となる。
【００２２】
重り部５は、例えば、ステンレス、鉄、鉛などの金属材、または、石材、または、ガラス材など、比重の大きなものであれば、使用者Ｕの使用に対して邪魔にならない程度にて形成されている。また、重り部５自体をアクセサリのような装飾的な形状にて形成することも可能である。また、重り部５は、シールド部２に固定して形成されてもよいし、ここでは、シールド部２に形成された第２穴部２０２（図３参照）から着脱可能に形成されている。
【００２３】
重り部５を固定して形成する場合には、シールド部２に割ピンタイプにて挟持して設置することが考えられる。また、重り部５を着脱可能に形成する場合には、第２穴部２０２に引っかけるようなピアスタイプ、または、シールド部２にクリップにて固定するクリップタイプでもよいし、シールド部２を挟み込む洗濯ばさみタイプでも可能である。
【００２４】
図１Ｂに示すように、支持部６は、使用者Ｕが上方を向いた際、シールド部２が回動部４を中心に下方側に回転移動しないように支持する。シールド部２に形成された第１支持部６１が、固定部３に形成された第２支持部６２上に当接する。
【００２５】
図６Ｂに示すように、係止部７は、回動部４を中心にシールド部２を上方に回動移動させた箇所にて、シールド部２と固定部３とを係止する、シールド部２に形成された第１係止部７１が、固定部３に形成された第２係止部７２上に当接して形成される。尚、実施の形態１においては、第２支持部６２と第２係止部７２とは同一にて形成される。そして、図１Ｂに示すように、係止部７は、シールド部２が図１Ａに示すような状態の際には、シールド部２に形成された第１係止部７１と、固定部３に形成された第２係止部７２とは当接していない。尚、支持部６および係止部７は以下の実施の形態においても同様に形成可能であり、その説明は適宜省略する。また、支持部６および係止部７の構成は、図１Ｂ、図５Ｂ、図６Ｂにおいてのみ示しており、他の図においては省略している。
【００２６】
次に、上記のように構成された実施の形態１のフェイスシールドの使用方法について説明する。まず、図４Ａに示すように、使用者Ｕは、固定部３のゴム帯３０２を伸ばして、使用者Ｕの頭部Ｈに固定部３を装着する。この際、シールド部２の後方部２０１には重り部５が装着されている。このように、重り部５を装着することにより、シールド部２は、回動部４を支点として、前方回転モーメントＭ１と後方回転モーメントＭ２とが均等に保たれている。よって、図４Ａに示すように、シールド部２は、使用者Ｕの顔面Ｆの前方を覆った状態を保っている。
【００２７】
次に、図４Ｂに示すように、使用者Ｕは、固定部３を使用者Ｕの頭部Ｈに装着したまま、下方を向く。この際、先に示したように、シールド部２は、回動部４を支点として、前方回転モーメントＭ１と後方回転モーメントＭ２とが均等に保たれており、シールド部２は回動部４において回動自在に形成されているため、シールド部２の位置は図４Ａの位置から回動移動しない。
【００２８】
よって、使用者Ｕが下方を向くと、使用者Ｕの口元Ｍからシールド部２が遠ざかる状態となり、使用者Ｕはシールド部２に邪魔されることなく、飲食などを行うことができる。再び、使用者Ｕが正面を向いた通常の状態に戻ると、図４Ａに示すような状態となり、シールド部２は先にも示したように、使用者Ｕの口元Ｍはシールド部２にて遮られることとなる。
【００２９】
次に、図５Ａに示すように、使用者Ｕは、固定部３を使用者Ｕの頭部Ｈに装着したまま、上方を向く。この際、シールド部２は、図５Ｂに示すように、支持部６として、シールド部２に形成された第１支持部６１が、固定部３に形成された第２支持部６２上に当接しているため、シールド部２が回動部４を中心に下方側に回転移動しないように支持する。よって、使用者Ｕが頭部Ｈを上方に向けても、シールド部２が使用者Ｕの口元Ｍにあたることは防止される。
【００３０】
次に、図６Ａに示すように、使用者Ｕが、シールド部２を上方に、回動部４を中心にシールド部２を上方に回動移動させた箇所にて、図６Ｂに示すように、係止部７として、シールド部２に形成された第１係止部７１が、固定部３に形成された第２係止部７２上に当接し、シールド部２が上方に回動移動させた箇所にて係止する。
【００３１】
また、上記実施の形態１の形状に限られることはなく、他の例について、図７から図９を用いて説明する。尚、上記実施の形態１と同様の部分は同一符号を付して説明を省略する。図７から図９は、図に示すように、固定部３１は、環状ではなく、図８Ｂに示すように、使用者Ｕの頭部Ｈを挟持するＵ字形状にて形成される。固定部３１は、例えば、カチューシャのような撓んで弾性を有し、また、弾力性を有するものにて形成することが考えられる。シールド部２１は開口部を有しない形状にて形成される。この場合、使用者Ｕの眼Ｉの防御が完全になる。
【００３２】
シールド部２１を展開すると図９に示すような大きさおよび形状となる。そして、Ｗ１１は、４ｃｍ、Ｗ１２は、６ｃｍ、Ｗ１３は、１０．５ｃｍ、Ｗ１４は、２０ｃｍ、Ｗ１５は、２５．５ｃｍ、Ｗ１６は、４４ｃｍ、Ｗ１７は、２８ｃｍ、Ｗ１８は、８ｃｍ、Ｗ１９は、６ｃｍ、Ｗ２０は、２６ｃｍ、Ｗ２１は、１０ｃｍにて形成される。そして、図７および図８Ｂに示すようにシールド部２１を湾曲させて、シールド部２１の第１穴部２０３を固定部３３の回動部４１に設置する。
【００３３】
重り部５は、固着部５１にて固着される。また、シールド部２は、固定部３１にねじ止めなど着脱可能なように、左側頭位置Ｈ１および右側頭位置Ｈ２にて回動部４１に回動自在に支持させる。
【００３４】
また、上記実施の形態１の形状に限られることはなく、他の例について、図１３を用いて説明する。尚、上記実施の形態１と同様の部分は同一符号を付して説明を省略する。図１３に示すように、シールド部２の固定部３の回動部４に設置する第１穴部２０３を複数箇所に形成する。そして、いずれかの箇所の第１穴部２０３を固定部３の回動部４に設置することにより、上記実施の形態１と同様に使用することができる。複数箇所に第１穴部２０３を形成することにより、使用者Ｕの顔面Ｆの大きさなどにより、第１穴部２０３を適宜選択して利用できる。
【００３５】
また、シールド部２の下端側に示した一点鎖線の部分を折り曲げ箇所を、使用者Ｕの顔面Ｆ側に折り曲げると、当該箇所により、使用者Ｕの口元Ｍからの飛沫がシールド部２の下端側から外部に露出することが防止でき、衛生的である。
【００３６】
上記のように構成された実施の形態１のフェイスシールドによれば、
使用者の顔面前方側に装着するフェイスシールドであって、
前記使用者の顔面の前方を覆うシールド部と、
前記使用者の頭部に着脱可能な固定部と、
前記固定部の前記使用者の頭部のいずれかの箇所にて前記シールド部を前記固定部に対して回転自在に支持する回動部と、
前記シールド部の前記回動部から前方側を前方部とし、前記シールド部の前記回動部から後方側を後方部として、
前記前方部の重心にかかる前記前方部の前方重量による前記回動部を支点とした前方回転モーメントと、
前記後方部の重心にかかる前記後方部の後方重量による前記回動部を支点とした後方回転モーメントとが釣り合うように形成されたので、
使用者が頭部を正面に向けている際には、シールド部の前方回転モーメントと後方回転モーメントが釣り合っているため、シールド部は口元を覆っている。また、使用者が頭部を下方に傾けた際、シールド部の前方回転モーメントと後方回転モーメントが釣り合うようにシールド部は回動部を支点として回動し、シールド部は使用者の頭部を正面の状態から回動移動しないため、シールド部に触れることなく、シールド部を口元から遠ざけることができる。
【００３７】
また、前記シールド部の前記後方部に設置された重り部を備え、
前記前方部の重心にかかる前記前方部の前方重量による前記回動部を支点とした前方回転モーメントと、前記重り部を含む前記後方部の重心にかかる前記後方部の後方重量による前記回動部を支点とした後方回転モーメントとが釣り合うように形成されたので、
シールド部自体の重さに左右されることなく、重り部により、前方回転モーメントと後方回転モーメントとを釣り合わせることができるため、シールド部の形状および素材などの自由度が広がる。
【００３８】
また、前記回動部は、前記固定部の前記使用者の頭部の左側頭位置および右側頭位置にそれぞれ形成するので、
回動部が頭部の左右に存在するため、回動部におけるシールド部の回転が安定的にできる。
【００３９】
また、前記シールド部および前記固定部は、前記シールド部が前記回動部を中心に下方側に回転移動しないように支持する支持部を備えたので、
使用者が頭部を上方に傾けた際に、シールド部が支持部により下方側に回転移動しないため、シールド部が使用者の顔面にあたることを防止できる。
【００４０】
また、前記シールド部および前記固定部は、前記回動部を中心に前記シールド部を上方に回動移動させた箇所にて、前記シールド部と前記固定部とを係止する係止部を備えたので、
シールド部を上方に回動移動させた箇所にて係止部にてシールド部と固定部とを係止するので、シールド部を使用者の顔面から退避できる。
【００４１】
また、前記シールド部は、前記使用者の眼と対向する位置に開口部を有するので、
使用者の視界を常に良好に確保できる。
【００４２】
また、前記シールド部は、前記回動部から着脱可能に形成されるので、
シールド部が汚れたりまたは破損したりした場合など取り替えることができる。
【００４３】
また、前記重り部は、前記シールド部から着脱可能に形成されるので、
様々な形状の重り部を使用できる。
【００４４】
実施の形態２．
図１０は、実施の形態２によるフェイスシールドの構成を示す側面図である。尚、図１０はフェイスシールドの左側面を示しているが、右側面も対称に形成されている。図１１は、図１０に示したフェイスシールドの構成を示す図である。図１１Ａは、フェイスシールドの構成を示す正面図、図１１Ｂは、フェイスシールドの構成を示す上面図、図１１Ｃは、フェイスシールドの固定部の構成を示す側面図である。尚、図１１は後述する重り部を省略して示している。図１２は、図１０示したフェイスシールドのシールド部の構成を示す展開図である。
【００４５】
図において、上記実施の形態１と同様の部分は同一符号を付して説明を省略する。本実施の形態２においては、固定部３２として、眼鏡の上に重ねて掛けることができるオーバーグラス形状にて形成される。よって、固定部３２は、ツル部３２１と、オーバーグラス部３２２とを備える。よって、ツル部３２１の左側頭位置Ｈ１および右側頭位置Ｈ２に対応する箇所に回動部４２がそれぞれ形成される。
【００４６】
シールド部２２を展開すると図１２に示すような大きさおよび形状となる。そして、Ｗ２２は、１１ｃｍ、Ｗ２３は、１２ｃｍ、Ｗ２４は、１３ｃｍ、Ｗ２５は、１．３ｃｍ、Ｗ２６は、３．５ｃｍ、Ｗ２７は、６ｃｍ、Ｗ２８は、１８．３ｃｍ、Ｗ２９は、３５ｃｍ、Ｗ３０は、１８．５ｃｍ、Ｗ３１は、３ｃｍにて形成される。そして、図における一点鎖線の部分を折り曲げて、図１０および図１１Ａに示すようなシールド部２２の形状とし、後述するシールド部２２の第１穴部２０３を固定部３２の回動部４２に設置する。シールド部２２の開口部８の下端側の折曲げ箇所は、使用者Ｕの顔面Ｆ側に折り曲げられる。よって、当該箇所により、使用者Ｕの口元Ｍからの飛沫が開口部８から外部に露出することが防止でき、衛生的である。
【００４７】
次に、上記実施の形態２のように構成されたフェイスシールド１の使用方法について説明する。尚、シールド部２２の回動は、上記実施の形態１と同様であるためその説明は適宜省略する。上記実施の形態１と異なる点は、使用者Ｕが眼鏡を装着している場合、固定部３２がオーバーグラス形状にて形成されているため、使用者Ｕの眼鏡の上からフェイスシールド１を装着できる。また、使用者Ｕが眼鏡を装着していない場合、使用者Ｕは眼Ｉを、固定部３２のオーバーグラス部３２２にて防御できる。
【００４８】
上記のように構成された実施の形態２のフェイスシールドによれば、
前記固定部は、眼鏡の上に重ねて掛けることができるオーバーグラス形状にて形成されるので、
使用者は、眼鏡を外す必要無く、眼鏡の上からフェイスシールドを装着できる。
さらに、フェイルシールドのシールド部に開口部が形成されている場合であれば、眼鏡を使用していない使用者に対しても、眼の保護を確実にできる。
【００４９】
実施の形態３．
上記各実施の形態においては、回動部を固定部の使用者の頭部の左側頭位置および右側頭位置にそれぞれ形成する例を示したが、これに限られることはなく、回動部は、固定部の使用者の頭部のいずれかの箇所にてシールド部を固定部に対して回転自在に支持していればよく、他の例として、本実施の形態３においては、使用者の頭部の前方の１箇所に回動部を形成する場合について説明する。
【００５０】
図１４は、実施の形態２によるフェイスシールドの構成を示す側面図である。尚、図１４はフェイスシールドの左側面を示しているが、右側面も対称に形成されている。図１５は、図１４に示したフェイスシールドの構成を示す図である。図１５Ａは、フェイスシールドの構成を示す正面図、図１５Ｂは、フェイスシールドの構成を示す上面図である。図において上記各実施の形態と同様の部分は同一符号を付して説明を省略する。
【００５１】
図１４において、フェイスシールド１は、シールド部２３、固定部３３、回動部４３、支持部６３、係止部７３を備える。シールド部２３は、上記各実施の形態と同様に、使用者Ｕの顔面Ｆの前方を覆う。但し、使用者Ｕの顔面Ｆに密着しているのではなく、使用者Ｕの顔面Ｆからある程度離れて配置される。固定部３３は、使用者Ｕの頭部Ｈに着脱可能に構成される。回動部４３は、固定部３３の使用者Ｕの頭部Ｈの前方位置Ｈ３にてシールド部２３を固定部３３に対して回転自在に支持する。よって、回動部４３はシールド部２３の回動の支点となる。
【００５２】
回動部４３を基準とした鉛直の方向を鉛直方向Ｇ１とする。シールド部２３の回動部４３から前方側を前方部２０４とし、シールド部２３の回動部４３から後方側を後方部２０５とする。ここでは、前方部２０４の前方重心Ｃ３にかかる前方部２０４の前方重量Ｆ３による回動部４３を支点とした前方回転モーメントＭ３と、後方部２０５の後方重心Ｃ４にかかる後方部２０５の後方重量Ｆ４による回動部４３を支点とした後方回転モーメントＭ４とが釣り合っている。尚、本実施の形態３においては、上記各実施の形態と異なり、重り部を備えない例を示しているが、これに限られることはなく、上記各実施の形態と同様に重り部を備えるように構成してもよい。
【００５３】
支持部６３と係止部７３との詳細な構成は省略するが、上記各実施の形態と同様に、支持部６３は、使用者Ｕが上方を向いた際、シールド部２３が回動部４３を中心に下方側に回転移動しないように支持する。また、係止部７３は、回動部４３を中心にシールド部２３を上方に回動移動させた箇所にて、シールド部２３と固定部３３とを係止する。
【００５４】
次に、上記のように構成された実施の形態３のフェイスシールドの使用方法について説明する。上記各実施の形態と同様に、使用者Ｕは、使用者Ｕの頭部Ｈに固定部３３を装着する。シールド部２３は、回動部４３を支点として、前方回転モーメントＭ３と後方回転モーメントＭ４とが均等に保たれている。次に、使用者Ｕは、固定部３３を使用者Ｕの頭部Ｈに装着したまま、下方を向く。この際、先に示したように、シールド部２３は、回動部４３を支点として、前方回転モーメントＭ３と後方回転モーメントＭ４とが均等に保たれており、シールド部２３は回動部４３において回動自在に形成されているため、シールド部２３の位置は前段の状態の位置から回動移動しない。
【００５５】
次に、上記各実施の形態と同様に、使用者Ｕは、固定部３３を使用者Ｕの頭部Ｈに装着したまま、上方を向く。この際、シールド部２３は、支持部６３により、シールド部２３が回動部４３を中心に下方側に回転移動しないように支持される。よって、使用者Ｕが頭部Ｈを上方に向けても、シールド部２３が使用者Ｕの口元Ｍにあたることは防止される。次に、使用者Ｕが、シールド部２３を上方に、回動部４３を中心にシールド部２３を上方に回動移動させた箇所にて係止部７３が係止する。
【００５６】
上記の様に構成された実施の形態３のフェイスシールドによれば、上記各実施の形態と同様の効果を奏するとともに、
前記回動部は、前記固定部の前記使用者の前方位置に形成するので、
使用者の頭部の１箇所のみに回動部を備えているため、使用者の髪の毛などがシールド部の回動において邪魔になることが防止できる。
【００５７】
本願は、様々な例示的な実施の形態および実施例が記載されているが、１つ、または複数の実施の形態に記載された様々な特徴、態様、および機能は特定の実施の形態の適用に限られるのではなく、単独で、または様々な組み合わせで実施の形態に適用可能である。
従って、例示されていない無数の変形例が、本願に開示される技術の範囲内において想定される。例えば、少なくとも１つの構成要素を変形する場合、追加する場合または省略する場合、さらには、少なくとも１つの構成要素を抽出し、他の実施の形態の構成要素と組み合わせる場合が含まれるものとする。
【符号の説明】
【００５８】
１  フェイスシールド、２  シールド部、２００  前方部、２０１  後方部、
２０２  第２穴部、２０３  第１穴部、２０４  前方部、２０５  後方部、
２１  シールド部、２２  シールド部、２３  シールド部、３  固定部、
３０１  前方部分、３０２  ゴム帯、３０３  スポンジ部、３１  固定部、
３２  固定部、３３  固定部、３２１  ツル部、３２２  オーバーグラス部、
４  回動部、４１  回動部、４２  回動部、４３  回動部、５  重り部、５１  固着部、６  支持部、６１  第１支持部、６２  第２支持部、６３  支持部、７  係止部、
７１  第１係止部、７２  第２係止部、７３  係止部、８  開口部、Ｃ１  前方重心、
Ｃ２  後方重心、Ｃ３  前方重心、Ｃ４  後方重心、Ｍ１  前方回転モーメント、
Ｍ２  後方回転モーメント、Ｍ３  前方回転モーメント、Ｍ４  後方回転モーメント、
Ｆ１  前方重量、Ｆ２  後方重量、Ｆ３  前方重量、Ｆ４  後方重量、Ｇ  鉛直方向、
Ｇ１  鉛直方向、Ｕ  使用者、Ｆ  顔面、Ｈ  頭部、Ｈ１  左側頭位置、
Ｈ２  右側頭位置、Ｈ３  前方位置、Ｉ  眼、Ｍ  口元。
【要約】
【課題】使用者が頭部を下方に傾けた際に、シールド部に触れることなく、シールド部を口元部分から遠ざけることができるフェイスシールドを提供する。
【解決手段】固定部３３の使用者Ｕの頭部Ｈのいずれかの箇所にてシールド部２３を固定部３３に対して回転自在に支持する回動部４３と、シールド部２３の回動部４３から前方側を前方部２０４とし、シールド部２３の回動部４３から後方側を後方部２０５として、前方部２０４の重心にかかる前方部２０４の前方重量Ｆ３による回動部４３を支点とした前方回転モーメントＭ３と、後方部２０５の重心にかかる後方部２０５の後方重量Ｆ４による回動部４３を支点とした後方回転モーメントＭ４とが釣り合うように形成されたものである。
【選択図】図１４【図１】
0006903245.tif 000002
【図２】
0006903245.tif 000003
【図３】
0006903245.tif 000004
【図４】
0006903245.tif 000005
【図５】
0006903245.tif 000006
【図６】
0006903245.tif 000007
【図７】
0006903245.tif 000008
【図８】
0006903245.tif 000009
【図９】
0006903245.tif 000010
【図１０】
0006903245.tif 000011
【図１１】
0006903245.tif 000012
【図１２】
0006903245.tif 000013
【図１３】
0006903245.tif 000014
【図１４】
0006903245.tif 000015
【図１５】
0006903245.tif 000016